(57)【要約】【課題】２台のハードディスクドライブを有しつつ、信号の劣化を抑制し、コストダウンを実現する記録装置の提供。【解決手段】記録装置は２台のハードディスクドライブを有し、ハードディスクドライブの制御部を有するメイン基板と、メイン基板の一端に設けられ、ハードディスクドライブに対して読み書きされるデータを入出力するインターフェイスコネクタと、インターフェイスコネクタと反対側においてメイン基板の両面に設けられ、メイン基板の外側を向いた嵌合面を有する基板側コネクタとを備え、２台のハードディスクドライブは、メイン基板を挟んでメイン基板と平行に設けられ、かつ、基板側コネクタと最も近い一端にハードディスクドライブのインターフェイスを有しており、記録装置はさらに、ハードディスクドライブのインターフェイスを、基板側コネクタにそれぞれ接続するドライブ接続部材を備える。【選択図】  図３
2004342269.tif 000002
【特許請求の範囲】
【請求項１】
２台のハードディスクドライブを有する記録装置であって、
前記ハードディスクドライブに対するデータの読み書きを制御する制御部を有するメイン基板と、
前記メイン基板の一端に設けられ、前記ハードディスクドライブに対して読み書きされるデータを外部に対して入出力するインターフェイスコネクタと、
前記メイン基板における前記インターフェイスコネクタと反対側において前記メイン基板の両面に設けられ、前記メイン基板の外側を向いた嵌合面を有する基板側コネクタと、
を備え、
前記２台のハードディスクドライブは、前記メイン基板を挟んで前記メイン基板と平行に設けられ、かつ、前記基板側コネクタと最も近い一端に前記ハードディスクドライブのインターフェイスを有しており、
さらに、前記ハードディスクドライブの前記インターフェイスを、前記基板側コネクタにそれぞれ接続するドライブ接続部材
を備える記録装置。
【請求項２】
前記メイン基板、前記インターフェイスコネクタ、及び前記基板側コネクタを一体に有する基板ユニットと、前記ハードディスクドライブ及び前記ドライブ接続部材を一体に有するドライブユニットとを収容する収容部と、
前記収容部に設けられ、前記２つのハードディスクドライブのそれぞれを前記メイン基板に対して平行な方向に案内するガイドと
をさらに備える請求項１に記載の記録装置。
【請求項３】
前記２つのドライブユニットは実質的に同一であり、前記基板ユニットを挟んで対向して設けられている請求項２に記載の記録装置。
【請求項４】
前記ガイドは、前記基板側コネクタと前記ドライブ接続部材との着脱方向に前記ハードディスクドライブを案内するように設けられている請求項２に記載の記録装置。
【請求項５】
前記ガイドの位置は、前記メイン基板に対して垂直な方向における前記ドライブユニットの厚みの中心に対して偏心しており、
前記収容部は、前記ドライブユニットを反転した上で前記ガイドに沿って挿入した場合に、前記ドライブユニットの一部に当接する形状の開口を有する請求項２に記載の記録装置。
【請求項６】
前記ハードディスクドライブのそれぞれは、前記メイン基板側に当該ハードディスクを回転させるモータが設けられている請求項１に記載の記録装置。
【発明の詳細な説明】
【０００１】
【発明の属する技術分野】
本発明は、記録装置に関する。特に本発明は、２台のハードディスクドライブを有する記録装置に関する。
【０００２】
【従来の技術】
従来、ＲＡＩＤ等の記録装置において、２台のハードディスクドライブを１枚のメイン基板に接続するには、ハードディスクドライブからメイン基板までにサブ基板及びフレキシブルケーブル等を経由して接続していた（例えば、非特許文献１参照。）。
【０００３】
図１は、ＲＡＩＤ１等の従来の記録装置における、ハードディスクドライブ１８とメイン基板１１との接続構造を示す。従来の記録装置は、ハードディスクドライブ１８とメイン基板１１とを、サブ基板６０及びフレキシブルケーブル６４を経由して接続する。この場合、ハードディスクドライブ１８をサブ基板６０に接続するドライブ側コネクタ５６及びサブ基板コネクタ５８と、フレキシブルケーブル６４をサブ基板６０またはメイン基板１１にそれぞれ接続するケーブルコネクタ（６２、６６）とを更に備えている。
【０００４】
【非特許文献１】
株式会社アドテックス、製品案内、ミラー、［ｏｎｌｉｎｅ］、［平成１５年５月１４日検索］、インターネット＜ＵＲＬ：ｈｔｔｐ：／／ｗｗｗ．ａｄｔｘ．ｃｏｍ／ｐｒｏｄｕｃｔ／ｍｉｒｒｏｒ／ａｘｒｂ−ｎ／ｉｎｄｅｘ．ｈｔｍｌ＞
【０００５】
【発明が解決しようとする課題】
しかしながら、上記従来技術には、ハードディスクドライブ１８からメイン基板１１に実装されているミラーＡＳＩＣ１２までのライン長が長いので、信号が劣化してしまうという課題があった。また、コストダウンの要求に応えるためには、部品点数を削減しなければならないという課題があった。
【０００６】
そこで本発明は、上記の課題を解決することのできる記録装置を提供することを目的とする。この目的は特許請求の範囲における独立項に記載の特徴の組み合わせにより達成される。また従属項は本発明の更なる有利な具体例を規定する。
【０００７】
【課題を解決するための手段】
即ち、本発明の第１の形態によると、２台のハードディスクドライブを有する記録装置は、ハードディスクドライブに対するデータの読み書きを制御する制御部を有するメイン基板と、メイン基板の一端に設けられ、ハードディスクドライブに対して読み書きされるデータを外部に対して入出力するインターフェイスコネクタと、メイン基板におけるインターフェイスコネクタと反対側においてメイン基板の両面に設けられ、メイン基板の外側を向いた嵌合面を有する基板側コネクタとを備え、２台のハードディスクドライブは、メイン基板を挟んでメイン基板と平行に設けられ、かつ、基板側コネクタと最も近い一端にハードディスクドライブのインターフェイスを有しており、記録装置はさらに、ハードディスクドライブのインターフェイスを、基板側コネクタにそれぞれ接続するドライブ接続部材を備える。
【０００８】
メイン基板、インターフェイスコネクタ、及び基板側コネクタを一体に有する基板ユニットと、ハードディスクドライブ及びドライブ接続部材を一体に有するドライブユニットとを収容する収容部と、収容部に設けられ、２つのハードディスクドライブのそれぞれをメイン基板に対して平行な方向に案内するガイドとをさらに備えてもよい。
【０００９】
２つのドライブユニットは実質的に同一であり、基板ユニットを挟んで対向して設けられていてもよい。また、ガイドは、基板側コネクタとドライブ接続部材との着脱方向にハードディスクドライブを案内するように設けられていてもよい。
【００１０】
ドライブユニットのそれぞれは、ガイドの案内に沿って基板ユニットに対して着脱可能であり、ガイドの位置は、メイン基板に対して垂直な方向におけるドライブユニットの厚みの中心に対して偏心しており、収容部は、ドライブユニットを反転した上でガイドに沿って挿入した場合に、ドライブユニットの一部に当接する形状の開口を有してもよい。なお、ハードディスクドライブのそれぞれは、メイン基板側に当該ハードディスクを回転させるモータが設けられていてもよい。
【００１１】
なお上記の発明の概要は、本発明の必要な特徴の全てを列挙したものではなく、これらの特徴群のサブコンビネーションも又発明となりうる。
【００１２】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００１３】
図２は、本発明の一実施形態に係る記録装置１０を情報処理装置１００に組み込んだ状態を示す図である。記録装置１０は、例えばＲＡＩＤ１、すなわちドライブのミラーリングにより耐障害性を向上した記録装置である。情報処理装置１００は例えばサーバであり、記録装置１０に対してデータの読み書きコマンドを発行するＣＰＵ１０１を有するホスト１０２と、記録装置１０とホスト１０２とを電気的に接続する接続ケーブル１０４と、記録装置１０を除く外部の装置に対して、データの入出力を行う外部インターフェイス１０６とを備える。本実施形態にかかる記録装置１０は、内部構造を工夫することにより、信号の劣化を防止し、製品コストを削減する。
【００１４】
図３は、記録装置１０の断面図である。記録装置１０は、まず、ハードディスクドライブ１８に対するデータの読み書きを制御するミラーＡＳＩＣ１２を有するメイン基板１１と、メイン基板１１の一端に設けられ、ハードディスクドライブ１８に対して読み書きされるデータを外部に対して入出力するインターフェイスコネクタ１４と、メイン基板１１におけるインターフェイスコネクタ１４と反対側においてメイン基板１１の両面に設けられ、メイン基板１１の外側を向いた嵌合面１７を有する基板側コネクタ１６とを備える。なお、ミラーＡＳＩＣ１２は、本発明の制御部の一例である。
【００１５】
２台のハードディスクドライブ１８は、メイン基板１１を挟んでメイン基板１１と平行に設けられ、かつ、基板側コネクタ１６と最も近い一端にハードディスクドライブ１８のインターフェイスを有している。そして、記録装置１０はさらに、ハードディスクドライブ１８のインターフェイスを、基板側コネクタ１６にそれぞれ接続するドライブ接続部材２４を備える。ドライブ接続部材２４は、ハードディスクドライブ１８における基板側コネクタ１６と最も近い一端から、基板側コネクタ１６の嵌合面１７と対向するまで延伸されたインターポーザ２０と、基板側コネクタ１６と嵌合するドライブ側コネクタ２２とを有する。また、ドライブ接続部材２４は、一体のコネクタであってもよい。ここで、インターポーザ２０は、ハードディスクドライブ１８のインターフェイスをドライブ側コネクタ２２に集約する回路基板である。ハードディスクドライブ１８、及びドライブ接続部材２４は、強度上並びに取扱上、例えば金属製のフレームで一体に保持されていることが好ましい。
【００１６】
以上の構成により、２つのハードディスクドライブ１８のそれぞれは、ドライブ接続部材２４、基板側コネクタ１６、及びメイン基板１１をこの順に経由してミラーＡＳＩＣ１２に電気的に接続され、ミラーＡＳＩＣ１２は、メイン基板１１及びインターフェイスコネクタ１４をこの順に経由して外部、例えばホスト１０２に対してデータを入出力する。
【００１７】
すなわち、以上のように構成された記録装置１０は、従来のフレキシブルケーブル６４及びバックプレーン６０等を使用することなくハードディスクドライブ１８とミラーＡＳＩＣ１２とのデータのやりとりを実現する。従って、ハードディスクドライブ１８からミラーＡＳＩＣ１２までのライン長が従来よりも短くなり、信号の劣化を抑制することができる。また、部品点数が削減されるので、コストダウンが実現できる。
【００１８】
また、メイン基板１１、インターフェイスコネクタ１４、及び基板側コネクタ１６は一体に設けられており、基板ユニット３００に属している。一方、ドライブ接続部材２４及びハードディスクドライブ１８は一体に設けられており、ドライブユニット２００に属している。２つのドライブユニット２００は実質的に同一であり、基板ユニット３００を挟んで対向して設けられている。２つのドライブユニット２００を実質的に同一に構成することにより、部品の共用化が実現され、これによりドライブユニット２００のコストダウンが可能である。
【００１９】
記録装置１０はさらに、基板ユニット３００及び２つのドライブユニット２００を収容する収容部３０と、収容部３０に設けられ、２つのハードディスクドライブ１８をメイン基板１１に対して平行な方向に案内するガイド３２とを備える。ガイド３２は、基板側コネクタ１６とドライブ接続部材２４との着脱方向にドライブユニット２００を案内するように設けられている。したがって、ドライブユニット２００をガイド３２の案内に沿って抜き差しすることによって、ドライブユニット２００の基板ユニット３００に対する電気的な接続又は切り離しが容易に実現できる。
【００２０】
ドライブユニット２００はさらに、記録装置１０に装着された状態で指が掛かる形状のつまみ１９を有する。つまみ１９をきっかけにしてドライブユニット２００を引っ張ることにより、ドライブユニット２００を基板ユニット３００から容易に取り外すことができる。つまみ１９は、例えばインターポーザ２０に固定されている。つまみ１９は、ドライブユニット２００を収容部３０に対してロックするロック機構（図示せず）をさらに有する。当該ロック機構は、つまみ１９を引っ張ることにより解除される。
【００２１】
また、ガイド３２の位置は、メイン基板１１に対して垂直な方向におけるドライブユニット２００の総厚の中心に対して偏心しており、収容部３０は、ドライブユニット２００を反転した上でガイド３２に沿って挿入した場合に、ドライブユニット２００の一部に当接する形状の開口を有する。これにより、ドライブユニット２００の誤挿入が防止される。誤挿入が防止されることにより、部品の破損が防止され、さらにユーザにとっての使い勝手も向上する。
【００２２】
ところで、ハードディスクドライブ１８において、発熱が最も大きいのはハードディスクを回転させるモータである。記録装置１０において、ハードディスクドライブ１８とメイン基板１１との間には、基板側コネクタ１６及びドライブ側コネクタ２２の高さ以上の間隔が設けられている。従って、ハードディスクドライブ１８のそれぞれは、メイン基板１１側に当該ハードディスクを回転させるモータが設けられていることにより、一定の放熱スペースを確保することができる。これにより、記録装置１０は、例えば情報処理装置１００等への取り付け位置に依らず、安定した放熱性を確保することができる。
【００２３】
図４は、基板ユニット３００の斜視図である。本実施例において、基板側コネクタ１６はメイン基板１１の両面にそれぞれ一個ずつ実装されている。しかしながら、基板側コネクタ１６の構成はこれに限られず、例えばメイン基板１１の端面を挟み込んで両面のパターンと接続する一体型のカードエッジコネクタであってもよい。これにより、本実施例の記録装置１０が備えていた２個の基板側コネクタ１６を１個にすることができ、部品点数の更なる削減によるコストダウンが実現できる。
【００２４】
図５は、基板ユニット３００にドライブユニット２００を装着した状態を示す斜視図である。本図において、つまみ１９はドライブユニット２００から取り外されている。本実施形態のドライブ接続部材２４は、略矩形形状の切り欠き部２１を含む。つまみ１９は、切り欠き部２１によって向き及び位置が正しく規制された状態でドライブ接続部材２４に組み付けられ、ネジ穴３８においてメイン基板１１側からネジ止めされる。
【００２５】
図６は、記録装置１０の斜視図である。本図の記録装置１０において、ドライブユニット２００の一方は、記録装置１０から取り外されている。収容部３０は、記録装置１０の側面及び底面のいずれかを情報処理装置１００などに固定する側面ネジ穴３４及び底面ネジ穴３６を有する。収容部３０の側面及び底面には、ドライブユニット２００及び基板ユニット３００から発生する熱を発散する開口が設けられている。つまみ１９は、必要に応じてドライブユニット２００を容易に着脱できるように、指をかけやすい程度のひさし形状をなす掛かり部４０を含む。
【００２６】
上記説明から明らかなように、本実施形態によれば、信号の劣化を防止し、製品コストを削減する記録装置１０を提供することができる。
【００２７】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【図面の簡単な説明】
【図１】従来の記録装置における、ハードディスクドライブ１８とメイン基板１１との接続構造を示す図である。
【図２】記録装置１０を情報処理装置１００に組み込んだ状態を示す図である。
【図３】記録装置１０の構造を示す断面図である。
【図４】基板ユニット３００の斜視図である。
【図５】基板ユニット３００にドライブユニット２００を装着した状態を示す斜視図である。
【図６】記録装置１０の斜視図である。
【符号の説明】
１０  記録装置、１１  メイン基板、１２  ミラーＡＳＩＣ、１４  インターフェイスコネクタ、１６  基板側コネクタ、１７、２３  嵌合面、１８  ハードディスクドライブ、１９  つまみ、２０  インターポーザ、２１  切り欠き部、２２  ドライブ側コネクタ、２４  ドライブ接続部材、３０  収容部、３２  ガイド、３４  側面ネジ穴、３６  底面ネジ穴、３８  ネジ穴、４０  掛かり部、１００  情報処理装置、１０２  ホスト、１０４  接続ケーブル、１０６  外部インターフェイス、２００  ドライブユニット、３００  基板ユニット
【図１】
2004342269.tif 000003
【図２】
2004342269.tif 000004
【図３】
2004342269.tif 000005
【図４】
2004342269.tif 000006
【図５】
2004342269.tif 000007
【図６】
2004342269.tif 000008